(57)【特許請求の範囲】
【請求項１】
ショーケース本体の後方に機械室を備え、前記機械室と前記ショーケース本体とを仕切る庫壁を有するオープン形低温ショーケースにおいて、
前記機械室の一方の側に圧縮機を配置すると共にこの機械室の他方の側に凝縮器を配置し、この機械室の他方の側の前記庫壁を前記凝縮器側に凹ませてこの凹んだ部分に冷却器を配置したことを特徴とするオープン形低温ショーケース。
【請求項２】
請求項１記載のオープン形低温ショーケースにおいて、
前記凹んだ部分は、前記ショーケース本体の幅方向に片寄って配置され、
前記冷却器によって冷却された庫内空気を庫内天板で仕切られた冷気通路を通して前記ショーケース本体の庫内に循環させるとともに、
前記庫内天板には冷気通路に突出するフランジを設け、このフランジの高さを変化させることによって、前記冷気通路を通過する空気の風量を均一化させたことを特徴とするオープン形低温ショーケース。
【請求項３】
請求項１記載のオープン形低温ショーケースにおいて、
前記凹んだ部分は、前記ショーケース本体の幅方向に片寄って配置され、
前記冷却器によって冷却された庫内空気を庫内天板で仕切られた冷気通路を通して前記ショーケース本体の庫内に循環させるとともに、
前記庫内天板には冷気通路に突出するフランジを設け、このフランジを前方に曲げることによって、前記冷気通路を通過する空気の風量を均一化させたことを特徴とするオープン形低温ショーケース。
【請求項４】
前記庫内天板と前記フランジとを一体的に形成したことを特徴とする請求項２又は３記載のオープン形低温ショーケース。
【発明の詳細な説明】
【０００１】
【発明の属する技術分野】
本発明は、オープン形低温ショーケースの改良に関する。
【０００２】
【従来の技術】
近年、薬事法の改正により例えばコンビニエンスストア等においても機能性ドリンクが販売されるようになる。この種の機能性ドリンクの販売に適した低温ショーケースとしては従来卓上形低温ショーケースが一般的であるが、この卓上形低温ショーケースは高さが高すぎて例えばスナック菓子類を陳列するコンビニエンスストアの非冷棚に設置すること等は不可能である。一方で開口が大きなオープン形ショーケースは知られており、これを小型化することにより、コンビニエンスストアの非冷棚に設置することは可能になる。
【０００３】
【発明が解決しようとする課題】
しかしながら、従来の一般的な構成によるオープン形ショーケースは、高さを低く、しかも奥行きを小さくすることはかなり困難である。
【０００４】
これを解消するために、例えばショーケース本体の後方に機械室を設け、この機械室の一方の側に圧縮機を配置すると共にこの機械室の他方の側に凝縮器を配置し、この機械室の他方の側の庫壁を凝縮器側に凹ませてこの凹んだ部分に冷却器を配置するようにしたオープン形低温ショーケースが提案される。
【０００５】
しかしながら、このオープン形低温ショーケースでは、冷却器がショーケース本体の他方の側に片寄って配置されるため、冷却器で冷却された庫内空気をショーケース本体の庫内に循環させる時、本体開口の全域に均一なエアーカーテンを形成することができず、庫内の冷却が不均一になるおそれがある。
【０００６】
そこで、本発明の目的は、コンビニエンスストアの非冷棚等に設置するのに適した小型かつ薄型のオープン形低温ショーケースを提供すると共に、片寄って配置された冷却器により冷却された庫内空気を本体開口の全域にほぼ均一に循環させることのできるオープン形低温ショーケースを提供することにある。
【０００７】
【課題を解決するための手段】
請求項１記載の発明は、ショーケース本体の後方に機械室を備え、前記機械室と前記ショーケース本体とを仕切る庫壁を有するオープン形低温ショーケースにおいて、前記機械室の一方の側に圧縮機を配置すると共にこの機械室の他方の側に凝縮器を配置し、この機械室の他方の側の前記庫壁を前記凝縮器側に凹ませてこの凹んだ部分に冷却器を配置したことを特徴とするものである。
【０００８】
この発明によれば、奥行きの大きい圧縮機の横に、比較的奥行きの小さい凝縮器、および冷却器を並べて配置するので、オープン形低温ショーケースの奥行きを小さくすることができ、しかもショーケース本体の後方に機械室を備えるので、ショーケース本体の下部に機械室が存在するものに比べてオープン形低温ショーケースの高さを低くすることができる。
【０００９】
請求項２記載の発明は、請求項１記載のオープン形低温ショーケースにおいて、前記凹んだ部分は、前記ショーケース本体の幅方向に片寄って配置され、前記冷却器によって冷却された庫内空気を庫内天板で仕切られた冷気通路を通して前記ショーケース本体の庫内に循環させるとともに、前記庫内天板には冷気通路に突出するフランジを設け、このフランジの高さを変化させることによって、前記冷気通路を通過する空気の風量を均一化させたことを特徴とするものである。
【００１０】
この発明によれば、ショーケース本体の幅方向に片寄って配置された冷却器を備えるショーケースにおいても、例えば冷却器の近くのフランジを高くし、そこから離れるフランジを低くすることにより、空気の流量をショーケース本体の幅方向に均一化させることができる。
【００１１】
請求項３記載の発明は、請求項１記載のオープン形低温ショーケースにおいて、前記凹んだ部分は、前記ショーケース本体の幅方向に片寄って配置され、前記冷却器によって冷却された庫内空気を庫内天板で仕切られた冷気通路を通して前記ショーケース本体の庫内に循環させるとともに、前記庫内天板には冷気通路に突出するフランジを設け、このフランジを前方に曲げることによって、前記冷気通路を通過する空気の風量を均一化させたことを特徴とするものである。
【００１２】
この発明によれば、ショーケース本体の幅方向に片寄って配置された冷却器を備えるショーケースにおいても、冷却器から離れる側に延びるフランジを前方に曲げることによって、空気を冷却器から離れる側に導くことができ、空気の流量をショーケース本体の幅方向に均一化させることができる。
【００１３】
請求項４記載の発明は、請求項２又は３記載の発明において、庫内天板とフランジとを一体的に形成したことを特徴とするものである。この発明によれば、製造が容易になってコストダウンが図られる。
【００１４】
【発明の実施の形態】
以下、本発明の一実施形態を図面に基づいて説明する。
【００１５】
図１において、符号１はオープン形冷蔵ショーケース等の低温ショーケースを示す。この低温ショーケース１は機能性ドリンク（「商品」）等を陳列して販売するためのものであり、例えばコンビニエンスストア等においてスナック菓子類を陳列するための非冷棚に設置される。この低温ショーケース１のショーケース本体１００には、図２に示すように開口３が設けられ、この開口３を通じて庫内２１の商品が取出し或いは収納される。
【００１６】
前記ショーケース本体１００の庫内２１は庫内天板１１と、庫内背板１２と、商品陳列棚を構成する底板１９とで囲われ、更にその外側はほぼコの字形に形成された断熱材５で囲われている。この断熱材５と庫内背板１２との間には冷却器７が設置され、この冷却器７の上方には冷却器用送風機９が設置されている。前記の冷却器７は後述するように冷凍サイクルの一部を構成し、冷却器用送風機９が運転されると、点線矢印で示すように庫内空気が循環される。
【００１７】
すなわち庫内２１の空気は、底板１９の前縁部近傍の吸込口１７から吸い込まれ、底板１９の下部の通路１９ａを通って冷却器７に達し、この冷却器７によって冷却された後、庫内天板１１の上部の冷気通路２０を通って庫内天板１１の前縁部近傍の吹出口１５から吹き出される。吹き出された冷気は庫内２１に降下し、庫内２１を冷却する。冷気の一部は吸込口１７に吸い込まれ、吹出口１５から吸込口１７に流れる冷気は、ショーケース本体１００の開口３を熱的に遮断し、この開口３にいわゆるエアーカーテン３１が形成される。
【００１８】
機械室２００には、図３に示すように圧縮機２３と、凝縮器２５と、凝縮器用送風機２７とが設けられ、圧縮機２３と凝縮器２５とは前記冷却器７に冷媒管（図示せず）を介して接続され、これにより冷凍サイクルが構成される。
【００１９】
この実施形態では、図３に示すように機械室２００の一方の側に奥行きを必要とする圧縮機２３が配置され、機械室２００の他方の側には、比較的奥行きを必要としない凝縮器２５が配置される。機械室２００とショーケース本体１００とを仕切る断熱材５（庫壁）は、圧縮機２３の奥行き寸法Ｈ１と凝縮器２５の奥行き寸法Ｈ２とのほぼ差分に相当する奥行き寸法Ｈ３だけ、当該凝縮器２５の側に凹むように曲げて形成され、この凹んだ部分３００には冷却器７が設置される。これによれば圧縮機２３、凝縮器２５、冷却器７はきわめて効率よくコンパクトに設置されて低温ショーケース１の小型化かつ薄型化が図られる。
【００２０】
この実施形態では、図４Ｂに示すように庫内天板１１にフランジ１３が設けられる。このフランジ１３は、図２に示すように冷気通路２０側に突出するものであって、庫内天板１１に一体的に形成される。製造手順について説明すると、図４Ａに示すように一枚の鋼板３１を切り出し、まずこの鋼板３１の長手方向の両端を点線３２，３３に沿って折り曲げる。また鋼板３１の短手方向の両端を点線３４，３５に沿って折り曲げ、フランジ予定部３６の二ヶ所を点線３７，３８に沿って折り曲げる。これによれば、図４Ｂに示すように庫内天板１１にはフランジ１３が一体的に形成される。
【００２１】
フランジ１３は第一の部分１３Ａと第二の部分１３Ｂ（図４Ｂ）とからなり、第一の部分１３Ａは、図３に示すように冷却器用送風機９の近くに配置され、第二の部分１３Ｂは、庫内天板１１の前方（奥行き方向）に曲げられ、冷却器用送風機９から離れた位置に配置される。第一の部分１３Ａは冷却器用送風機９に相対する中央部ｈ１の高さが高く形成され、庫内天板１１の端部ｈ２に向かうに連れて高さが徐々に低くなるように形成される。また第二の部分１３Ｂは冷却器用送風機９に相対する中央部ｈ１の高さが高く形成され、この高く形成された部分ｈ４は斜めに前方へ曲げられ、その後は第一の部分１３Ａとほぼ平行に延出し、庫内天板１１の端部ｈ３に向かうに連れて高さが徐々に低くなるように形成される。そして、第二の部分１３Ｂは庫内天板１１に対して溶接等により接合される。
【００２２】
尚、この実施形態によれば第二の部分１３Ｂの部分ｈ４のみが前方に曲げられて、全体はほぼくの字状に曲げられるが、これに限定されるものではなく例えば中央部ｈ１から端部ｈ３に向けて直線的に形成することは可能である。
【００２３】
フランジ一体形の庫内天板１１は低温ショーケース１の上部にビス等により取り付けられる。庫内天板１１とフランジ１３とを一体形成することにより製造が簡易になるため、コストダウンが図られる。
【００２４】
次に、この実施形態の動作を説明する。
【００２５】
庫内天板１１に設けられるフランジ１３は冷気通路２０を通過する空気の風量を調整する。図２を参照し、前述したように庫内２１の空気は、底板１９の前縁部近傍の吸込口１７から吸い込まれ、底板１９の下部の通路１９ａを通って冷却器７に達し、この冷却器７によって冷却された後、庫内天板１１の上部の冷気通路２０に達する。この冷気通路２０には前記フランジ１３が突出しこのフランジ１３によって冷気の風量が調整される。
【００２６】
冷却器７および冷却器用送風機９は、図３に示すようにショーケース本体１００の片側に片寄って配置されるので、ここから吹き出される冷気もまた片側に片寄って吹き出される。片寄って吹き出される冷気はフランジ１３の第一の部分１３Ａの高さの高い部分ｈ１で風量抑制され、高さの低い部分ｈ２に回り込む。
【００２７】
また第二の部分１３Ｂの高さの高い部分ｈ１で風量抑制された冷気は庫内天板１１の前方に曲げられた第二の部分１３Ｂの部分ｈ４に沿って当該庫内天板１１の前方に流れた後、徐々に高さの低くなる部分ｈ３に回り込む。
【００２８】
この実施形態によれば、冷気通路２０を通る空気の風量はショーケース本体１００の幅方向に亘って均一化される。この冷気は図２を参照し、吹出口１５から吹き出されて庫内２１に降下し、庫内２１を冷却する。
【００２９】
この実施形態では、冷却器７が片側に片寄って配置されたとしても、高さの変化するフランジ１３が冷気通路２０に設けられるので、冷気通路２０を通過する空気の風量をショーケース本体１００の幅方向に亘って均一化させることができ、従って庫内２１を均一に冷却することができる。
【００３０】
また庫内天板１１の奥行き方向に曲がるフランジ１３が冷気通路２０に設けられるので、冷気通路２０を通過する空気の風量をショーケース本体１００の幅方向に亘って均一化させることができ、従って、均一な風量のエアカーテン３１が形成され、庫内２１を均一に冷却することができる。
【００３１】
以上、本発明の実施形態を説明したが、本発明は上記実施形態に限定されるものではない。例えば、フランジの形状は限定されず冷気の風量が均一なエアカーテンを形成するものであればよく直線形状や湾曲形状を有するものであってもよい。また庫内天板及びフランジを一体的に形成するものに限定されず別部品としてフランジを製造しビス等で接合してもよい。
【００３２】
【発明の効果】
請求項１記載の発明によれば、奥行きの大きい圧縮機の横に、比較的奥行きの小さい凝縮器、および冷却器を並べて配置するので、オープン形低温ショーケースの奥行きを小さくすることができ、しかもショーケース本体の後方に機械室を備えるので、ショーケース本体の下部に機械室が存在するものに比べてオープン形低温ショーケースの高さを低くすることができる。
【００３３】
請求項２記載の発明によれば、高さを変化させたフランジを庫内天板に設け、このフランジによって冷気通路を通過する空気の風量を均一化するので、冷却器の位置に偏りがあっても、庫内を均一に冷却することができる。
【００３４】
請求項３記載の発明によれば、庫内天板には冷気通路に突出するフランジを設け、このフランジを庫内天板の奥行き方向に曲げることにより、冷気通路を通過する空気の風量を均一化させるので、冷却器の位置に偏りがあっても、庫内を均一に冷却することができる。
【００３５】
請求項４記載の発明によれば、フランジは庫内天板と一体に製造されるので、製造が簡易になりコストダウンが図られる。
【図面の簡単な説明】
【図１】本発明の実施形態による低温ショーケースを示す正面図である。
【図２】図１の低温ショーケースのＡ−Ａ断面図である。
【図３】図１の低温ショーケースのＢ−Ｂ断面図である。
【図４】Ａは庫内天板及びフランジの展開状態を示す平面図、Ｂは庫内天板及びフランジの完成状態を示す斜視図である。
【符号の説明】
７  冷却器
９  冷却器用送風機
１１  庫内天板
１３  フランジ
１３Ａ  第一の部分
１３Ｂ  第二の部分
【図１】
0003759552.tif 000002
【図２】
0003759552.tif 000003
【図３】
0003759552.tif 000004
【図４】
0003759552.tif 000005